(57)【要約】【課題】  屋上緑化において、植栽土壌を最小化し、作業日数の削減と作業（工種）の簡略化による全体のコストの削減を図る。【解決手段】    上述の目的を達成ながら、植物の生育（光合成）に必要な水分を供給する為、土壌の代わりにハンドリングの良い硬質保水素材（多孔質セラミックス等）を使用する。防水シート等を設置した上に硬質保水素材（多孔質セラミックス等）を敷設するだけでよく、容易に作業ができる。また、屋上防水の更新による工事が必要な場合、簡単に硬質保水素材（多孔質セラミックス等）を取除くだけで良く、その後再利用できる。植栽土壌は硬質保水素材（多孔質セラミックス等）間の目地部分だけとし、それに対応できる植物として、ほふく性植物（イワダレソウ類、イタビカズラ類、キズタ類、芝類等）を使用する。ほふく性植物は、硬質保水素材上にほふく茎・付着根を出し伸びる。付着根は気根となり、また有機物の集積等により、吸収根ともなり、硬質保水素材の中にも進入する。植物に必要な水分は、硬質保水素材から植栽土壌に供給され、硬質保水素材に進入した吸収根からも吸収される。【特許請求の範囲】
【請求項１】
本発明は、屋上緑化において、植栽土壌を最小化する為、植栽土壌を硬質保水素材（多孔質セラミックス等）間の目地部分だけとし、植物の生育に必要な水分の確保のために、ハンドリングの良い硬質保水素材（多孔質セラミックス等）を使用し、それに対応できる植物として、ほふく性植物（イワダレソウ類、イタビカズラ類、キズタ類、芝類等）を使用する。ほふく性植物は、硬質保水素材上にほふく茎・付着根を出し伸びる。付着根は気根となり、また有機物の集積等により、吸収根ともなり、硬質保水素材の中にも進入する。植物に必要な水分は、硬質保水素材から植栽土壌に供給され、硬質保水素材に進入した吸収根からも吸収される事を特徴とする硬質保水素材を利用した、ほふく性植物による緑化。
【請求項２】
本発明によれば、防水シート等を設置した上に硬質保水素材（多孔質セラミックス等）と目地の為の少量の植栽土壌を敷設するだけでよく、また造園（植栽）技術を必要としない事により作業日数の削減と作業（工種）の簡略化による全体のコストの削減を図ることが出来る事を特徴とする硬質保水素材を利用した、ほふく性植物による緑化。
【請求項３】
屋上の防水シート等の防水機能は、必ず経年劣化するものである。防水機能の更新の際、屋上庭園は撤去しなければならない。廃棄物による環境負荷と工事費用の負担が大きく屋上緑化の妨げとなる。本発明は、屋上防水の更新工事の際、硬質保水素材（多孔質セラミックス等）を取除くだけで良く簡易に施工できる。その後、再び再利用することが出来る事を特徴とする硬質保水素材を利用した、ほふく性植物による緑化。
【請求項４】
Ｃ３植物である、ほふく性植物（イワダレソウ類、イタビカズラ類、キズタ類、芝類等）は光合成の為の蒸散、エネルギー消費等により、被覆面の温度の低下に寄与し、ヒートアイランド現象の緩和となる事を特徴とする硬質保水素材を利用した、ほふく性植物による緑化。
【発明の詳細な説明】
【技術分野】
【０００１】  本発明は、硬質保水素材（多孔質セラミックス等）を利用した、ほふく性植物による緑化に関する。
【背景技術】
【０００２】  ヒートアイランド現象を緩和する為に、屋上緑化や壁面緑化などにおいて、様々な緑化技術がある。【０００３】  従来の屋上緑化では、緑化部分に全面的に植栽土壌を引き均し、緑化が行われる。土壌は、植物の生育に必要な水分の確保のために必要である。しかし多量の土壌搬入には、コストが掛かり、作業日数も掛かる。その為、既存の屋上を手軽に緑化するわけにはいかない。【０００４】  屋上緑化において、最初に防水、防根シートなどの設置が必要である。全面的に土壌を引き均した土壌の上の植栽は造園（植栽）技術が必要である。防水シート設置工等と植栽とは別の工種となる為、割高となる。【０００５】  屋上の防水シート等の防水機能は、必ず経年劣化するものである。防水機能の更新の際、屋上庭園は撤去しなければならない。廃棄物による環境負荷と工事費用の負担が大きく屋上緑化の妨げとなる。
【発明の開示】
【発明が解決しようとする課題】
【０００６】  植栽土壌を最小化し、作業日数の削減と作業（工種）の簡略化による全体のコストの削減を図る。【０００７】  上述の目的を達成ながら、植物の生育（光合成）に必要な水分を供給することのできる環境を提供する。【０００８】  屋上防水の更新工事の際、硬質保水素材（多孔質セラミックス等）を取除くだけで良く簡易に施工できる。また、硬質保水素材（多孔質セラミックス）等は再利用出来る為、廃棄物による環境負荷と工事費用の削減を図ることが出来る。
【問題を解決する為の手段】
【０００９】  上述の課題を解決する為、本発明は、植物生育に必要な水分の確保として、土壌の代わりにハンドリングの良い硬質保水素材（多孔質セラミックス等）を使用する。防水シート等を設置した上に硬質保水素材（多孔質セラミックス等）を敷設するだけでよく、容易に作業ができる。また、容易に撤去でき、再利用できる。
【００１０】  植栽土壌を最小化する為、植栽土壌を硬質保水素材（多孔質セラミックス等）間の目地部分だけとし、それに対応できる植物として、ほふく性植物（イワダレソウ類、イタビカズラ類、キズタ類等）を使用する。ほふく性植物は、硬質保水素材上にほふく茎・付着根を出し伸びる。付着根は気根となり、また有機物の集積等により、吸収根ともなり、硬質保水素材の中にも進入する。植物に必要な水分は、硬質保水素材から植栽土壌に供給され、硬質保水素材に進入した吸収根からも吸収される。
【発明の効果】
【００１１】  以上説明したように本発明によれば、少ない植栽土壌で、屋上等の緑化を行うことが出来る。また造園（植栽）技術を必要としない等により、作業日数の削減と作業（工種）の簡略化による全体のコストの削減を図ることが出来る。容易に屋上緑化等が出来るため、屋上緑化等の普及促進となる。
【００１２】  最小の植栽土壌で硬質保水素材上全面を被覆することが出来る。Ｃ３植物である、ほふく性植物（イワダレソウ類、イタビカズラ類、キズタ類、芝類等）は光合成の為の蒸散、エネルギー消費等により、被覆面の温度の低下に寄与し、ヒートアイランド現象の緩和となる。
【００１３】  屋上には防水の為の防水シート等が必要であるが、紫外線による劣化が避けられない。本発明により防水シートは被覆される事になり、防水シート等が長持ちする。
【００１４】  屋上の防水層の上に設置するだけの工事でよい為、経年時の屋上防水の更新による工事が必要な場合簡単に硬質保水素材（多孔質セラミックス等）を取除くだけで良く、その後、再利用できる。工事費用負担が少なく、循環型社会に適応した屋上緑化でもある。
【発明を実施する為の最良の形態】
【００１５】  以下本発明の実施の形態を図を使って説明する。
【００１６】  図１、図２は、硬質保水素材と植栽土壌としての目地のパターン平面図。図３は、その断面図である。
【００１７】  本発明の実施の形態を図を使って説明したが、本発明はこの形態に限るものではない。
【産業上の利用分野】
【００１８】  屋上緑化や壁面緑化に利用できる。
【図面の簡単な説明】
【００１９】
【図１】  硬質保水素材と植栽土壌としての目地のパターン例としての平面図。
【図２】  硬質保水素材と目地のパターンとほふく性植物平面図
【図３】  硬質保水素材と目地とほふく性植物の付着根等の断面図
【符号の説明】
【００２０】１、硬質保水素材（多孔質セラミックス等）
２、植栽土壌としての目地
３、ほふく性植物（イワダレソウ類、イタビカズラ類、キズタ類、芝類等）
４、付着根
５、防水シート
【図１】
2010136709.tif 000002
【図２】
2010136709.tif 000003
【図３】
2010136709.tif 000004